(57)【特許請求の範囲】
【請求項１】
沢部等の両側斜面に設けたアンカーにヒンジ連結して沢部等の上下方向の傾動を可能に建て込まれる支柱本体と、前記支柱本体の上部周囲に付設され、支柱を支保すべく両側斜面にアンカーされた吊りロープ及びサイドロープを連結する複数のブラケットと、支柱本体の頂部に設けられ金網に組み込まれた最上段横ロープをスライド可能に支持するガイド機構とを具備し、前記ガイド機構が、凸湾曲部と、これの幅方向に対峙する側壁部と、側壁部と直交状の外れ止め部材を備え、かつ、前記側壁部により構成される溝が、中央の平行状部分から先が外方に向かって漸次拡大していることを特徴とする落石防護ネット用支柱。
【請求項２】
凸湾曲部と、これの幅方向に対峙する側壁部が部体に一体に設けられ、該部体が支柱頂部に接合されている請求項１に記載の落石防護ネット用支柱。
【請求項３】
金網に多数の縦・横補強ロープとともに左・右縦ロープと最上段横ロープ及び複数の下半部横ロープを組み込み補強して、沢部等の両側斜面に設けたアンカーに左石の支柱を沢部等の上下方向の傾動を可能に建て込み、両側斜面にアンカーした吊ロープ及びサイドロープの端部を各支柱の上部に連結して支保し、左・右縦ロープの上端部を各支柱の上部に連結するとともに、両側斜面に両端部をアンカーした最上段横ロープを、各支柱の上部に設けた凸湾曲部と、これの幅方向に対峙する側壁部と、側壁部と直交状の外れ止め部材を備え、かつ、前記側壁部により構成される溝が、中央の平行状部分から先が外方に向かって漸次拡大しているガイド機構で軸線方向にスライド可能にかつ左右方向に振れ可能に支持し、各下半部横ロープの各両端部を両側斜面にアンカーして、金網の上半部分を落石エネルギーを緩衝して吸収するポケット部に構成し、金網の下半部分を沢状部等の地上に敷設して落石等を受け止める敷設部に構成して構築することを特徴とする落石防護ネット工法。
【発明の詳細な説明】
【技術分野】
【０００１】
本発明は、落石等の恐れがある沢状部等に好適な落石防護ネット用支柱およびこれを利用した落石防護ネット工法に関する。
【背景技術】
【０００２】
落石防護施設としてポケット式の落石防護ネット工法が知られている。この工法として、先行技術１では、金網に多数の縦・横補強ロープとともに左・右縦ロープと最上段横ロープ及び複数の下半部横ロープを組み込み補強して、沢部等の両側斜面に設けたアンカーに左右の支柱をヒンジ連結して沢部等の上下方向の傾動を可能に建て込み、両側斜面にアンカーした吊ロープ及びサイドロープの端部を支柱の上部に連結して支保し、左・右縦ロープの上端部を支柱の上部に連結するとともに、両側斜面に両端部をアンカーした最上段横ロープを各支柱の上部でスライド可能に支持し、各下半部横ロープの両端部を両側斜面にアンカーして、金網の上半部分を落石エネルギーを緩衝して吸収するポケット部に構成し、金網の下半部分を沢部等の地上に接触ないし近接するように敷設して落石等を受け止めるようにしている。
【特許文献１】特許第２９１６６３３号公報
【発明の開示】
【発明が解決しようとする課題】
【０００３】
先行技術のポケット式落石防護ネットは、施工性とともに落石防護性能、信頼性及び耐久性を向上しコスト節減が可能となる利点を有しているが、ポケット形成用の支柱における柱頂の最上段横ロープガイド機構が、沢の傾斜方向に対してほぼ直角方向に走る凸湾曲部を設け、これと交差する方向（沢の傾斜方向）に逆Ｕ状シャックル金具を取り付けた構造であったので、次のような問題があった。
【０００４】
１）最上段横ロープはポケット形成用の支柱をすぎた部分が沢の両側に導かれ、岩盤などに強固にアンカーされることが必要であるが、施工場所の地形や地質はさまざまであるので、アンカーを建て込む場所が制限を受ける。このため、アンカーを打つ部位と支柱と金網張りされる横ロープ主部とがほほ一直線に並んでいる場合には問題がないが、支柱に対してアンカーを打つ部位がかなり山側であったり、金網張りされる横ロープ主部が支柱に対してかなり谷側であったりした場合に、ガイド機構が横ロープを的確にガイドし難く、横ロープが逆Ｕ状シャックル金具部位で大きく曲げられた状態で強接したり、さらには、支柱を構成するＨ形鋼のエッジに強接することがあった。このため、強風などに際して、横ロープに局部的に荷重が負荷されたり、強く摩擦されたりし、素線が切断されてロープ破断を引き起こす危険を避けられなかった。
【０００５】
２）前記のように、横ロープが逆Ｕ状シャックル金具部位で大きく曲げられた状態で強接し、さらには支柱を構成するＨ形鋼のエッジに強接するため横ロープが滑りにくくなり、それにより支柱頂部に捩れを伴う横傾斜の偏荷重が生じ、支柱に回転トルクを発生させるため、支柱基礎部分が損傷される危険があった。
３）横ロープの軸線と直角方向のガイドが逆Ｕ状シャックル金具という棒材であるため、支柱頂部を通過させるロープの建て込み作業が、逆Ｕ状シャックル金具を外した状態で行うことになり、ガイドが不安定化しやすいとともに作業性が悪くなる。
【０００６】
本発明は、上記のような問題点を解消するためになされされたもので、その目的とするところは、支柱に対してアンカーを打つ部位がかなり山側であったり、金網張りされる横ロープ主部が支柱に対してかなり谷側であったりした場合にも、ロープの破断や支柱への異常な負荷を生じさせないように横ロープを的確にガイドして張設することができる落石防護ネットのポケット形成用の支柱とこれを利用した落石防護ネット工法を提供することにある。
【課題を解決するための手段】
【０００７】
上記目的を達成するため本発明のポケット形成用の支柱は、沢部等の両側斜面に設けたアンカーにヒンジ連結して沢部等の上下方向の傾動を可能に建て込まれる支柱本体と、前記支柱本体の上部周囲に付設され、支柱を支保すべく両側斜面にアンカーされた吊りロープ及びサイドロープを連結する複数のブラケットと、支柱本体の頂部に設けられ金網に組み込まれた最上段横ロープをスライド可能に支持するガイド機構とを具備し、前記ガイド機構が、凸湾曲部と、これの幅方向に対峙する側壁部と、側壁部と直交状の外れ止め部材を備え、かつ、前記側壁部により構成される溝が、中央の平行状部分から先が外方に向かって漸次拡大していることを特徴としている。
【０００８】
また、上記目的を達成するため本発明の落石防護ネット工法は、金網に多数の縦・横補強ロープとともに左・右縦ロープと最上段横ロープ及び複数の下半部横ロープを組み込み補強して、沢部等の両側斜面に設けたアンカーに左石の支柱を沢部等の上下方向の傾動を可能に建て込み、両側斜面にアンカーした吊ロープ及びサイドロープの端部を各支柱の上部に連結して支保し、左・右縦ロープの上端部を各支柱の上部に連結するとともに、両側斜面に両端部をアンカーした最上段横ロープを、各支柱の上部に設けた凸湾曲部と、これの幅方向に対峙する側壁部と、側壁部を直交状に貫通する棒状部材を備え、かつ、前記側壁部により構成
される溝が中央の平行状部分から先が外方に向かって漸次拡大しているガイド機構で軸線方向にスライド可能にかつ左右方向に振れ可能に支持し、各下半部横ロープの各両端部を両側斜面にアンカーして、金網の上半部分を落石エネルギーを緩衝して吸収するポケット部に構成し、金網の下半部分を沢部等の地上に敷設して落石等を受け止める敷設部に構成して構築することを特徴としている。
【発明の効果】
【０００９】
本発明は、支柱本体の頂部に設けられ金網に組み込まれた最上段横ロープをスライド可能に支持するガイド機構とを具備した落石防護ネット用の支柱において、前記ガイド機構が、凸湾曲部と、これの幅方向に対峙する側壁部と、側壁部と直交状の外れ止め部材を備え、かつ、前記側壁部により構成される溝が中央の平行状部分から先が外方に向かって漸次拡大しているので、最上段横ロープの端部をアンカーする場所が支柱位置に対して当初の予定位置よりも大きくずれても、あるいは最上段横ロープの金網組み込み部分側が支柱位置に対して当初の予定位置よりも大きくずれても、あるいはまた、補強ロープ付き金網の全幅を支持する最上段横ロープが前記張設角度のまま伸びた状態になっても、ロープに何らのダメージを与えず、破断を起こしにくくすることができるとともに、支柱の頂部のねじれによる支柱の回転トルクの発生を有効に防止できる。また、最上段横ロープのガイド機構に対する交差状取り付けが容易であるとともに、支柱の建て込みと最上段横ロープの展延時に最上段横ロープの支柱からの外れを確実に防止できるので、作業性もよくなる。
【００１０】
本発明の工法によれば、沢部等で上方から落下する大きい落石エネルギーを緩衝して吸収し受け止め保持する強度、耐力が著しく高められ、また、左右の支柱の位置と大きく相違した沢部等の両側斜面の強固な地盤に最上段横ロープをアンカーすることができるので、支柱にかかる落石などによる衝撃を効果的に著しく減少し、支柱の捩れを伴う横傾動の偏荷重を減少させ、信頼性及び耐久性を効果的に高めことができる。そして，前記支柱ガイド機構の作用により、補強ロープ付き金網の緩衝、吸収性能及び耐久性が著しく高められて、沢等における大きい落石エネルギーを効果的に緩衝して吸収する優れた防護性能を発揮することができる。なお、ポケット部は、補強ロープ付き金網の上半部分に構成することが可能になって落石エネルギーを効果的に緩衝、吸収する。下半部分に構成した敷設部は、複数の下半部横ロープによって支持され、ポケット部で緩衝、吸収された低速度の落石等を受け止め、落石等を次第に広く分散させて長期にわたり保持するなど、優れた落石等の受け止め保持性能、信頼性が得られる。 
【発明を実施するための最良の形態】
【００１１】
凸湾曲部とこれの幅方向に対峙する側壁部が部体に一体に設けられ、該部体が支柱本体頂部に接合されている。
これによれば、部品数が少なく、ポケット形成用の支柱の製作が容易である。
【実施例１】
【００１２】
図１と図２は本発明のポケット形成用の支柱を適用した落石防護ネットの一実施例を示し、図３ないし図５は落石防護ネットのポケット形成用支柱の一実施例施例を示している。
図１において、ａは例えば道路等に近接して落石等の恐れがある沢部、ｂは沢部ａの両側斜面であり、１０は本発明で構築された落石防護ネットの全体を指している。
【００１３】
１は金網、２は金網１に縦横に組み込まれた縦・横補強ロープ、３は金網１の上端部に組み込まれた最上段横ロープ、４は各ロープの連結部や交差部を固定するクリップ、５、５は金網の両側に組み込まれた左・右縦ロープ、６ｂは金網の下半部に上下間隔を置き組み込まれた複数の下半部横ロープ、７は金網の上部を支持してポケット部を形成する支柱である。
８ａは支柱７を支保する吊ロープ、８ｂはサイドロープ、９ａは吊ロープの上端を地盤に固定するアンカー，９ｂは前記サイドロープ８ｂの沢側端を定着するアンカー、９ｃは前記最上段横ロープ３の左右両端部３ａ、３ａを沢部ａの両側斜面ｂ、ｂに固定するアンカーである。１０ａは補強ロープ付き金網の上半部に形成したポケット部、１０ｂはその下半部に形成され地形に沿って這った敷設部である。 
【００１４】
前記ポケット部形成用の支柱７は、沢部ａにおいて金網１の上部を適度の高さに保持し得るよう、沢部ａと両側斜面ｂとの高低差に対応させてたとえば２〜５ｍの高さに設定したＨ形鋼からなる支柱本体７Ａと、これの頂部に溶接などで一体化されたガイド機構７Ｂとを備えている。
前記支柱本体７Ａは下端部にヒンジ用板７０を有しており、沢部ａの両側斜面ｂの堅固な地盤に複数のアンカーボルト７ｂで打設（特殊セメントを充填してアンカー力を高める）したアンカー７ａに突設したブラケット７ｃに前記ヒンジ用板７０をかみ合わせて枢軸で連結することにより、上下方向Ｆ（沢部ａの傾斜方向）に傾倒可能に建て込まれている。
【００１５】
前記支柱本体７Ａは、ガイド機構７Ｂの近傍の山谷側部分に、吊りロープ８ａおよび縦ロープ５の端部を連結するためのブラケット７１、７１を有している。また、前記ブラケット７１と９０度変位した位置には、左右のサイドロープ８ｂの端部と連結するためのブラケット７２、７２を有している。
【００１６】
前記ガイド機構７Ｂは、金網１の上端部に組み込まれた最上段横ロープ６ａをスライド可能に支持する手段であるが、本発明においては、図３〜図５のように、中央部を頂として沢部ａの傾斜方向に下傾する凸湾曲部７３と、該凸湾曲部７３に下端が接合された一対の側壁部７４、７４と、側壁部７４、７４の中央部に直交状の外れ止め部材７５を備えている。外れ止め部材75は側壁部７４，７４に設けた通孔７４５を貫通するボルトとこれに螺合するナットのごときが用いられる。
【００１７】
前記側壁部７４，７４は最上段横ロープ６ａの側方への外れを防止する溝（通路）７６を得るために凸湾曲部７３から上方に十分な高さを有しており、しかも、中央の平行状部分７４０を境としてその両側に、外開き部分７４１が形成されている。外開き部分７４１は凸湾曲部７３の形状に即して下傾している。
これにより、前記溝７６の幅は、中央の平行状部分から先が外方に向かってハの字状に漸次拡大し、開口部分の角度αはたとえば５０〜６０度となっている。前記外開き部分７４１と平行状部分７４０は滑らかな曲線によって連なっており、外開き部分７４１は直線でもよいが、好ましくは適度の曲率を描いている。
【００１８】
前記ポケット部形成用の支柱７は、図１のように両側斜面ｂ、ｂの堅固な地盤に設けたアンカー７ａ上にヒンジ連結して上下方向Ｆ（沢部ａの傾斜方向）に傾倒可能に建て込まれ、両側斜面ｂの上方にアンカーした吊ロープ８ａを支柱本体上部のブラケット７１に適宜の手段で連結するとともに、反対側のブラケット７１に金網１の左・右縦ロープ５の上端部を同様な手段で連結し、かつ、アンカーしたサイドロープ８ｂ、８ｂを支柱本体上部のブラケット７２、７２に同様に連結して支保され、これで横方向の傾動が防止される。
【００１９】
そして、支柱本体７Ａの頂部にあるガイド機構７Ｂにより、補強ロープ付き金網１の上端部の左右を支持する最上段横ロープ３をスライド可能に支持するのであるが、従来のように単純に凸湾曲部に配したのでは、幅方向から外れやすく、かつ、上下方向Ｆに対しほぼ直角方向にガイドしなければならなくなる。
これに対して本発明においては、凸湾曲部７３を底とするガイド溝７６の幅方向が連続した側壁部７４、７４によって区画されているので、外れ止め部材７５を取り付けずに、上から最上段横ロープ３を落とし込んでやるだけで、最上段横ロープ５が横に外れることなく保持される。
【００２０】
しかも、図６のように、最上段横ロープ５の端部を固定する沢両側面のアンカー位置Ａが、地盤や地形の関係から、支柱７の建て込み位置Ｂに対して、大きく山側であったり、あるいは沢側であったりしても、凸湾曲部７３を底とするガイド溝７６の長手方向両端がたとえば５０〜６０度で左右に開口しているので、この角度範囲内で最上段横ロープ３を任意に曲げられ、しかも拘束することなくエッジに圧接させることなく案内することができ、その状態で最上段横ロープ３を長手方向にスライドさせることができる。このため工事が容易になり、工期の短縮を図ることができ、また、設置後も、最上段横ロープ３がスムーズにスライドできるので、支柱頂部に捻りモーメントが生じにくく、安定した最上段横ロープ３の支持を行える。
【００２１】
こうした支柱７により金網１の上端部に組み込んだ最上段横ロープ３をスライド可能に支持しているので、金網１から最上段横ロープ３を介して支柱７の上部にかかる衝撃が著しく緩和され、支柱７に捩れ横傾動の変形力等として作用する偏心荷重が著しく低減されて、支柱の損傷が効果的に防止されるとともに落石等の衝突がない。
補強ロープ付き金網１の左右側部のみが縦ロープ５を介し支柱７に直接的に支持され、支柱７間の長い最上段横ロープ３で補強ロープ付き金網１のほぼ全幅を支持し、その長い最上段横ロープ３のロープ伸びの増加により、補強ロープ付き金網１の緩衝、吸収性が効果的に高められる。このときの伸びに伴うロープの移動は前記ガイド機構７Ｂにより円滑にガイドされるので、補強ロープ付き金網１自体の強度、耐力の増加とあいまつて、沢部等ａの大きい落石エネルギーを効果的に緩衝して吸収する性能を長期にわたり効果的に発揮することができる。
【００２２】
なお、金網１は、幅方向に連結するなどして沢部ａに対応した幅に形成される。また、この金網１には、縦・横補強ロープ２を１ｍ程度の縦・横間隔で全面に組み込むとともに、左・右縦ロープ５を左右の両側に組み込み、上縁部を折り曲けて最上段横ロープ３を組み込み、複数の下半部横ロープ６ｂを下半部に適宜の上下間隔で組み込み、これら各ロープの連結部や交差部をそれぞれ適宜のクリップ４で連結して補強する。この補強ロープ付きの金網１は、基本的に著しく補強されて優れた強靭性を有し、沢部ａ等で上方から落下する大きい落石エネルギーを緩衝して吸収し受け止めるのに対応した耐力に増強される。
【００２３】
アンカー９ａは、従来と同じように、複数のアンカーボルト（特殊セメントを充填）で両側斜面ｂに強力に固設されるアンカー主体と、アンカー主体上に固設されたボルト孔連結用プレート等からなり、これに吊ロープ８ａのターンバツクル等を介装しクリップ止めして形成した端末部をボルト連結する。また、アンカー９ｂについても同様な機構を適用する。必要に応じポケット部１０ａの下部にも下半部横ロープ６ｂを設ける。 
【図面の簡単な説明】
【００２４】
【図１】本発明によるポケット式落石防護ネットの例を示す平面図である。
【図２】図１の側面図である。
【図３】図１におけるポケット形成用支柱の頂部を示す斜視図である。
【図４】（ａ）はポケット形成用支柱の側面図、（ｂ）は同じくその正面図である。
【図５】（ａ）はポケット形成用支柱頂部のガイド機構の正面図、（ｂ）は部分切欠側面図、（ｃ）は平面図である。
【図６】（ａ）（ｂ）はガイド機構による最上段横ロープのガイド例を示す模式的平面図である。
【符号の説明】
【００２５】
ａ  沢部
ｂ  側面部
１  金網
３  最上段横ロープ
７  支柱
７Ａ  支柱本体
７Ｂ  ガイド機構
７３  凸湾曲部
７４，７４  側壁部
７５  外れ止め部材
７６  ガイド溝
７４１  外開き部分
８ａ  吊ロープ、  
８ｂ  サイドロープ
１０ａ  ポケット部
１０ｂ  敷設部
【図１】
0004630792.tif 000002
【図２】
0004630792.tif 000003
【図３】
0004630792.tif 000004
【図４】
0004630792.tif 000005
【図５】
0004630792.tif 000006
【図６】
0004630792.tif 000007